(57)【特許請求の範囲】
【請求項１】
車室床面を構成するフロアパネルと、このフロアパネルの下面側にフロアパネルと協働して前後方向に延びる左右１対の閉断面を構成する左右１対のフロアフレームと、前記フロアパネルの車幅方向中央部分に車室側へ突出して前後方向に延びるトンネル部と、前記フロアパネルの上面側にフロアパネルと協働して前記トンネル部から車幅方向外側に延びる閉断面を構成するフロアクロスメンバとを備え、前記フロアパネルの下方で且つ前記フロアフレームとトンネル部との間にバッテリを配設した車両のバッテリ搭載構造において、
前記トンネル部の左右両端位置に前記フロアパネルの下面側にフロアパネルと協働して前後方向に延びる左右１対の閉断面を構成する左右１対のトルネルサイドフレームと、
前記フロアフレームとこれに対向するトルネルサイドフレームとに連結されて両者の間を補強する補強体とを備え、
前記補強体が前記フロアクロスメンバの下側位置で且つ前記バッテリの上側位置に配置されたことを特徴とする車両のバッテリ搭載構造。
【請求項２】
前記バッテリを下方から支持して車体側に取付けるための取付ブラケットを備え、
前記取付ブラケットが前記トルネルサイドフレームの下側壁部又はフロアパネルに前記補強体を介して連結されたことを特徴とする請求項１に記載の車両のバッテリ搭載構造。
【請求項３】
前記補強体に車幅方向に延びる高剛性部を形成し、
前記高剛性部が、前記フロアクロスメンバとフロアパネルとが構成した閉断面に上下方向に重なるように配置されたことを特徴とする請求項１又は２に記載の車両のバッテリ搭載構造。
【請求項４】
前記高剛性部が下方に凹入する凹入部で構成され、
前記凹入部がフロアパネルと協働して車幅方向に延びる閉断面を構成することを特徴とする請求項３に記載の車両のバッテリ搭載構造。
【発明の詳細な説明】
【技術分野】
【０００１】
本発明は、車両のバッテリ搭載構造に関し、特にフロアパネルの下方にバッテリを配設した車両のバッテリ搭載構造に関する。
【背景技術】
【０００２】
従来より、定格電圧を１２Ｖとする鉛バッテリはエンジンルーム内に配置されている。
近年増加傾向にある電気自動車やハイブリッド車両は、大型のバッテリユニットを搭載している。また、回生制動させた回生発電によって充電する電源装置を備えた車両には、通常の鉛バッテリの他にリチウムイオンバッテリ等の補助バッテリが搭載されている。
このような大型のバッテリユニットや補助バッテリ（以下、単にバッテリと総称する）は、エンジンルーム内が高温になる上、スペース的にも厳しいことから、従来と同様にエンジンルーム内に搭載することは容易ではない。
そこで、配置レイアウトの観点から、エンジンルームの外部空間、例えばフロアパネルの下方を利用してバッテリを配設したバッテリ搭載構造が提案されている。
【０００３】
特許文献１の車両のバッテリ搭載構造は、左右１対のサイドシル間に亙って架け渡されたフロアパネルと、このフロアパネルの下面側にフロアパネルと協働して前後に延びる左右１対の閉断面を構成する左右１対のフロアサイドフレーム（フロアフレームともいう）と、フロアパネルの下方に配設された電気自動車用バッテリとを備え、バッテリはシートクッションよりも下方で且つフロアパネルの一般面よりも上方に突出した突出部を有し、フロアパネルに突出部を上方から覆う凸部が形成されている。
これにより、バッテリの地上高を確保しつつ、側面衝突時にシートパイプ（シートフレーム）がバッテリに対して相対的に変形しても、突出部に対するシートパイプの直接的な衝撃をフロアパネルの凸部によって抑制している。
【先行技術文献】
【特許文献】
【０００４】
【特許文献１】特開２０１３−２３１６３号公報
【発明の概要】
【発明が解決しようとする課題】
【０００５】
特許文献１の車両のバッテリ搭載構造は、上側折曲部と下側に形成された下側折曲部をフロアパネルに形成することによって縦断面略台形状の凸部を構成している。
これにより、比較的小さな側突荷重が作用した場合には、シートパイプとバッテリとの干渉による衝撃を凸部を介して抑制することができ、バッテリを保護することが可能である。
【０００６】
しかし、大きな側突荷重が作用した場合、バッテリの保護が十分ではない。
大きな側突荷重が作用した場合には、側突荷重によって車体側剛性部材であるサイドシルが車幅方向内側へ移動するため、バッテリとサイドシルとが干渉する虞がある。
バッテリとサイドシルとの間にフロアサイドフレームを配設することも考えられる。
しかし、大きな側突荷重によってバッテリの上側に配置された部材（例えばフロアクロスメンバ等）が下側に折れ変形し、バッテリの上側に配置された部材の下方への変形によりバッテリが上方から直接的に集中荷重を受ける虞がある。
上記問題を対策するためには、補強部材の配設や板厚増加等の対策が必要になるが、その場合、重量が増加する可能性があり、改善の余地があった。
【０００７】
本発明の目的は、側面衝突時にバッテリを十分に保護することができる車両のバッテリ搭載構造等を提供することである。
【課題を解決するための手段】
【０００８】
請求項１の車両のバッテリ搭載構造は、車室床面を構成するフロアパネルと、このフロアパネルの下面側にフロアパネルと協働して前後方向に延びる左右１対の閉断面を構成する左右１対のフロアフレームと、前記フロアパネルの車幅方向中央部分に車室側へ突出して前後方向に延びるトンネル部と、前記フロアパネルの上面側にフロアパネルと協働して前記トンネル部から車幅方向外側に延びる閉断面を構成するフロアクロスメンバとを備え、前記フロアパネルの下方で且つ前記フロアフレームとトンネル部との間にバッテリを配設した車両のバッテリ搭載構造において、前記トンネル部の左右両端位置に前記フロアパネルの下面側にフロアパネルと協働して前後方向に延びる左右１対の閉断面を構成する左右１対のトルネルサイドフレームと、前記フロアフレームとこれに対向するトルネルサイドフレームとに連結されて両者の間を補強する補強体とを備え、前記補強体が前記フロアクロスメンバの下側位置で且つ前記バッテリの上側位置に配置されたことを特徴としている。
【０００９】
この車両のバッテリ搭載構造では、フロアフレームとこれに対向するトルネルサイドフレームとに連結されて両者の間を補強する補強体を備えたため、側面衝突時、フロアフレームとこれに対向するトルネルサイドフレームとの離隔距離を確保することができる。
補強体がフロアクロスメンバの下側位置で且つバッテリの上側位置に配置されたため、側突荷重によってフロアクロスメンバが下側に折れ変形しても、バッテリの上側を補強体で保護することができ、バッテリが上方から受ける衝撃を低減することができる。
【００１０】
請求項２の発明は、請求項１の発明において、前記バッテリを下方から支持して車体側に取付けるための取付ブラケットを備え、前記取付ブラケットが前記トルネルサイドフレームの下側壁部又はフロアパネルに前記補強体を介して連結されたことを特徴としている。
本構成によれば、側突荷重を取付ブラケットを介して車体側に分散することができ、フロアクロスメンバによる下側への折れ変形を抑制することができる。
【００１１】
請求項３の発明は、請求項１又は２の発明において、前記補強体に車幅方向に延びる高剛性部を形成し、前記高剛性部が、前記フロアクロスメンバとフロアパネルとが構成した閉断面に上下方向に重なるように配置されたことを特徴としている。
本構成によれば、フロアクロスメンバの上下方向剛性を増加することができ、フロアクロスメンバによる下側への折れ変形を一層抑制することができる。
【００１２】
請求項４の発明は、請求項３の発明において、前記高剛性部が下方に凹入する凹入部で構成され、前記凹入部がフロアパネルと協働して車幅方向に延びる閉断面を構成することを特徴としている。
本構成によれば、フロアフレームとこれに対向するトルネルサイドフレームとを結ぶ閉断面の断面積を増加することができ、フロアクロスメンバによる下側への折れ変形を確実に抑制することができる。
【発明の効果】
【００１３】
本発明の車両のバッテリ搭載構造によれば、側面衝突時にバッテリが上方から受ける衝撃を低減することができる。
【図面の簡単な説明】
【００１４】
【図１】実施例１に係る車両の下部車体の斜視図である。
【図２】下部車体の平面図である。
【図３】図１の要部拡大図である。
【図４】下部車体の底面図である。
【図５】図４の要部拡大図である。
【図６】取付ブラケットを省略した図５相当図である。
【図７】取付ブラケットの斜視図である。
【図８】取付ブラケットの平面図である。
【図９】荷重伝達部材の斜視図である。
【図１０】図６からバッテリを省略した要部拡大図である。
【図１１】補強体を示す図であって、（ａ）は斜め下方から視た斜視図、（ｂ）は正面図、（ｃ）は車幅方向外側から視た側面図である。
【図１２】図２のXII−XII線断面図である。
【図１３】図１０のXIII−XIII線断面図である。
【図１４】図２のXIV−XIV線断面図である。
【発明を実施するための形態】
【００１５】
以下、本発明の実施形態を図面に基づいて詳細に説明する。
以下の説明は、本発明を例示したものであり、本発明、その適用物、或いは、その用途を制限するものではない。
【実施例１】
【００１６】
以下、本発明の実施例１について図１〜図１４に基づいて説明する。
図１〜図６に示すように、本実施例の車両Ｖは、車室の床面を構成する鋼板製の矩形状フロアパネル１と、このフロアパネル１と協働して前後に延びる第１閉断面Ｃ１を構成する左右１対のフロアフレーム２と、フロアパネル１の下方に車載電装品に対して供給する電力を蓄電可能なバッテリ３等を備えている。
以下、矢印Ｆ方向を前方、矢印Ｌ方向を左方、矢印Ｕ方向を上方として説明する。
【００１７】
まず、車両Ｖの前提構造について説明する。
フロアパネル１は、このフロアパネル１と協働して前後に延びる第２閉断面Ｃ２を構成する左右１対のトンネルサイドフレーム４と、トンネル部１１を下方から部分的に覆う略矩形状の前側及び後側ブレース５，６と、フロアパネル１と協働して左右に延びる第３閉断面Ｃ３を構成するフロアクロスメンバ７と、フロアパネル１と協働して前後に延びる第４閉断面Ｃ４を構成する左右１対のフロア上部フレーム８等を備えている。
このフロアパネル１は、ダッシュパネル（図示略）の傾斜部下端から後方へ略水平状に拡がるように形成され、左右両端部が前後に延びる左右１対のサイドシル９の車幅方向内側壁部の下端部分に夫々連結されている。
【００１８】
図１〜図３に示すように、フロアパネル１の車幅方向中央部分には、車室側に突出して前後に延びるトンネル部１１が形成され、フロアパネル１のトンネル部１１よりも右側部分には、車室側に膨出した膨出部１２が形成されている。
図１３に示すように、左右１対のトンネルサイドフレーム４は、断面略ハット状に形成され、トンネル部１１の左右両端位置においてフロアパネル１の下面に左右両フランジ部４ｄ，４ｅが夫々接合されている。
図４に示すように、前側ブレース５は、フロアパネル１の前端側部分に対応したトンネル部１１の左右両端位置を連結し、後側ブレース６は、フロアパネル１の中間部分に対応したトンネル部１１の左右両端位置を連結している。これらブレース５，６は、フロアパネル１の振動抑制のために設けられた補強部材である。
【００１９】
フロアクロスメンバ７は、トンネル部１１を間に介して左右１対のサイドシル９の車幅方向内側壁部同士を連結している。図１３に示すように、フロアクロスメンバ７は、断面略ハット状に形成され、前側ブレース５の後端近傍に対応する位置においてフロアパネル１の上面に前後両フランジ部７ｄ，７ｅが夫々接合されている。
図１〜図３に示すように、フロアクロスメンバ７の後方には、左右１対の後側フロアクロスメンバ１０が設けられている。これら１対の後側フロアクロスメンバ１０は、トンネル部１１を間に介して左右１対のサイドシル９の車幅方向内側壁部同士を連結している。フロアクロスメンバ７と後側フロアクロスメンバ１０は、左右の前席シートをスライドレールを介して支持している（何れも図示略）。
【００２０】
図３，図１４に示すように、左右１対のフロア上部フレーム８は、断面略ハット状に形成され、フロアクロスメンバ７の前側壁部７ａにその後端部が夫々接合されている。これら１対のフロア上部フレーム８は、前端部から後端部に亙ってフロアパネル１の上面に左右両フランジ部８ｄ，８ｅが夫々接合されている。
【００２１】
左右１対のフロアフレーム２は、前端側部分においてトンネルサイドフレーム４とサイドシル９との中間位置に夫々配置され、後側程車幅方向外側に移行するように夫々形成されている。これら１対のフロアフレーム２は、断面略ハット状に形成され、フロアパネル１の下面に左右両フランジ部２ｄ，２ｅが夫々接合されている。
フロアフレーム２の下側壁部２ｃは、トンネルサイドフレーム４の下側壁部４ｃよりも低い高さ位置になるように配設されている。
図１４に示すように、フロアフレーム２のフロアクロスメンバ７よりも前側部分は、左右両フランジ部２ｄ，２ｅがフロア上部フレーム８の左右両フランジ部８ｄ，８ｅにフロアパネル１を間に介して三重溶接によって夫々接合されている。
バッテリ３は、略直方体状ユニットに形成され、膨出部１２の下方にフロアパネル１から僅かに離隔した状態で配設されている。このバッテリ３は、充放電可能な複数（例えば８つ）のバッテリモジュール（二次電池）を備え、後述する取付ブラケット２１に支持されている。
【００２２】
次に、膨出部１２について説明する。
図１〜図３に示すように、膨出部１２は、フロアパネル１の右半部において右側の後側フロアクロスメンバ１０よりも前側位置で且つ右側のサイドシル９とトンネル部１１の間に形成されている。
図３，図１２，図１４に示すように、膨出部１２は、フロアパネル１の大半を占める一般面よりも高い高さ位置に略矩形状の平坦部を形成する上側折曲部１２ａと、この上側折曲部１２ａよりも下方に形成され且つ一般面から上方に向けて折れ曲がった下側折曲部１２ｂとを備え、断面略台形状に突出形成されている。
尚、下側折曲部１２ｂによって囲まれた部分が、膨出部１２に相当している。
また、折曲部とは、フロアパネル１の曲率が一般面に対して急激に変化する湾曲状の変曲部であって、側面衝突時、変形の起点となり得る変曲部を含むものである。
【００２３】
下側折曲部１２ｂは、前端側部分が前側ブレース５の後端部よりも前側、後端側部分が前端側部分に略平行で且つ後側フロアクロスメンバ１０の前端部よりも前側に位置するように配置されている。それ故、フロアクロスメンバ７が膨出部１２の上側を横切るように配置されているため、前後両フランジ部７ｄ，７ｅが膨出部１２の上面を横断するように夫々接合されている。これにより、折曲部１２ａ，１２ｂの強度増加を図っている。
【００２４】
また、下側折曲部１２ｂは、左端側部分がトンネルサイドフレーム４に沿うように形成され且つトンネルサイドフレーム４の左端部よりも右側に位置するように配置され、右端側部分がフロアフレーム２に沿うように形成され且つフロアフレーム２の右端部よりも左側に位置するように配置されている。
本実施例では、上側折曲部１２ａの左端側部分がトンネルサイドフレーム４の右側壁部４ｂよりも左側で且つ下側折曲部１２ｂの左端側部分がトンネルサイドフレーム４の左側壁部４ａよりも右側に位置するように形成されている。それ故、折曲部１２ａ，１２ｂの左端側部分が第２閉断面Ｃ２の一部に形成されている。また、上側折曲部１２ａの右端側部分がフロアフレーム２の左側壁部２ａよりも右側で且つ下側折曲部１２ｂの右端側部分がフロアフレーム２の右側壁部２ｂよりも左側に位置するように形成されている。それ故、折曲部１２ａ，１２ｂの右端側部分が第１閉断面Ｃ１の一部に形成されている。
これにより、折曲部１２ａ，１２ｂの左端側部分及び右端側部分の強度増加を図っている。
【００２５】
そして、図１４に示すように、折曲部１２ａ，１２ｂの右端側部分のうちフロアクロスメンバ７よりも前側部分は、上側折曲部１２ａの右端側部分がフロア上部フレーム８の左側壁部８ａよりも右側で且つ下側折曲部１２ｂの右端側部分がフロア上部フレーム８の右側壁部８ｂよりも左側に位置するように形成されている。また、フロア上部フレーム８の後端部が、折曲部１２ａ，１２ｂとフロアクロスメンバ７との接合部分を第４閉断面Ｃ４の一部に形成するようにフロアクロスメンバ７に接合されている。
これにより、折曲部１２ａ，１２ｂの右端側部分をフロアフレーム２とフロア上部フレーム８とによって上下両方向から挟み込むことにより、折曲部１２ａ，１２ｂの右端側部分を第１閉断面Ｃ１及び第４閉断面Ｃ４からなる閉断面の節部分として取り込むことができる。
【００２６】
次に、取付ブラケット２１について説明する。
図４，図５，図１２に示すように、取付ブラケット２１は、バッテリ３及び後述する荷重伝達部材２２を下方から支持すると共に、これらを車体側に取付可能に構成されている。
図７，図８に示すように、取付ブラケット２１は、鋼板をプレス加工することによって成形され、バッテリ３及び荷重伝達部材２２を支持する本体部２１ａと、車体側に取付けるための５つの取付部２１ｂ〜２１ｆ等を備えている。
【００２７】
本体部２１ａは、トンネルサイドフレーム４の下側壁部４ｃと略同じ高さ位置になるように配設されている。この本体部２１ａには、バッテリ３をボルト（図示略）を介して固着するための複数の支持ボルト穴ｂ１と、荷重伝達部材２２をボルト（図示略）を介して取付ブラケット２１に固着するための複数の支持ボルト穴ｂ２とが形成されている。
複数の支持ボルト穴ｂ１は、本体部２１ａの左端側部分及び右端側部分に夫々前後に整列するように４つづつ、計８つ設けられている。複数の支持ボルト穴ｂ２は、本体部２１ａの右端部分の支持ボルト穴ｂ１よりも右側位置において本体部２１ａの後半部に前後１対設けられている。
【００２８】
図７，図８に示すように、取付部２１ｂ〜２１ｆは、本体部２１ａから略水平状に外側に張り出すように夫々形成され、取付ブラケット２１をボルト（図示略）を介して車体側に固着するための固定ボルト穴ｂ３を夫々有している。
図４，図５に示すように、取付部２１ｂ，２１ｄは、本体部２１ａの左端部分の前端側部分、後端側部分に夫々形成され、トンネルサイドフレーム４の下側壁部４ｃにボルトによって締結固定される。取付部２１ｃは、本体部２１ａの左端部分の途中部分に形成され、トンネルサイドフレーム４の下側壁部４ｃに後述する補強体２３を間に介してボルトによって締結固定される。尚、この取付部２１ｃは、フロアパネル１に補強体２３を間に介してボルトによって締結固定しても良い。
【００２９】
取付部２１ｅは、本体部２１ａの後端部分に形成され、フロアパネル１にボルトによって締結固定される。
取付部２１ｆは、本体部２１ａの右端部分の途中部分から下方へ屈曲した後、右方に屈曲する断面略クランク状に形成されている。この取付部２１ｆは、フロアフレーム２の下側壁部２ｃに補強体２３を間に介してボルトによって締結固定される。
複数の固定ボルト穴ｂ３は、取付部２１ｂ，２１ｄ，２１ｆに夫々前後１対設けられ、取付部２１ｅに左右１対設けられ、取付部２１ｃに１つ設けられている。
【００３０】
次に、荷重伝達部材２２について説明する。
後側程車幅方向外側に移行するフロアフレーム２の車幅方向内側に直方体状のバッテリ３を配置した場合、バッテリ３の右側部とフロアフレーム２の左側壁部２ａとの離隔距離が前後方向で異なり、側面衝突時、フロアフレーム２から作用する側突荷重がバッテリ３の右側部（右側壁部）の前側角部周辺に局所的に作用する虞がある。
図６に示すように、荷重伝達部材２２は、フロアパネル１の下方において、フロアフレーム２とバッテリ３との間に介装され、車両Ｖの側面衝突時、バッテリ３に局所的に作用する側突荷重を回避可能に構成されている。この荷重伝達部材２２は、衝撃吸収能率に優れた金属材料、例えばアルミ合金材料で一体的に構成されている。
【００３１】
図６，図９に示すように、荷重伝達部材２２は、前後方向に対して略直交して左右に延びる前側壁部２２ａと、この前側壁部２２ａに略平行な後側壁部２２ｂと、フロアフレーム２の左側壁部２ａに沿って延びる第１壁面部２２ｃと、バッテリ３の右側部に沿って延びる第２壁面部２２ｄと、第１壁面部２２ｃと第２壁面部２２ｄを連結する第１〜第４リブ部２２ｅ〜２２ｈ等を備えている。
【００３２】
第１壁面部２２ｃは、フロアフレーム２の左側壁部２ａに沿っているため、後側程右側に移行するように形成されている。この第１壁面部２２ｃは、フロアフレーム２の左側壁部２ａに対して僅かの隙間を空けて離隔状に対向配置されている。これにより、側面衝突時、フロアフレーム２と荷重伝達部材２２とが干渉する前段階で衝撃エネルギーを吸収することができ、バッテリ３に作用する側突荷重を低減することができる。
【００３３】
第１〜第４リブ部２２ｅ〜２２ｈは、各々左側程後方に移行するように形成されている。
具体的には、第１〜第４リブ部２２ｅ〜２２ｈは、フロアフレーム２の左側壁部２ａに対して略直交するように配設されている。
第１リブ部２２ｅ及び第３リブ部２２ｇの左側下端部分には、ねじ穴を有する取付部２２ｉ，２２ｊが夫々形成されている。これら取付部２２ｉ，２２ｊは、取付ブラケット２１の１対の支持ボルト穴ｂ２にボルトによって締結固定されている。
これにより、側面衝突時、フロアフレーム２が左方に移動して第１壁面部２２ｃに接触した際、第１壁面部２２ｃに作用した側突荷重を第２壁面部２２ｄに対して均等に分散して伝達することができ、結果的に、バッテリ３の右側部に対する局所的な荷重集中を回避している。
【００３４】
次に、補強体２３について説明する。
図６，図１２に示すように、補強体２３は、鋼板によって形成され、右側のフロアフレーム２の下側壁部２ｃと右側のトルネルサイドフレーム４の下側壁部４ｃとに連結されて両者の間を補強している。これにより、膨出部１２の下方において、補強体２３の配置された領域は、補強体２３の配置されない領域よりも左右方向の強度が高くされている。
補強体２３は、フロアクロスメンバ７の下側位置で且つバッテリ３の上側位置に配置されている。これにより、バッテリ３の上方を保護している。
【００３５】
図１１（ａ）〜図１１（ｃ）に示すように、補強体２３は、左側壁部２３ａと、右側壁部２３ｂと、左側壁部２３ａと右側壁部２３ｂとの上端部同士に連なる上側壁部２３ｃと、左側壁部２３ａの下端部から左方に延びる左側フランジ部２３ｄと、右側壁部２３ｂの下端部から右方に延びる右側フランジ部２３ｅ等を一体的に備えている。
左側壁部２３ａの下端部から右側壁部２３ｂの下端部に亙って連続して凹入する凹入部２３ｆが形成されている。この凹入部２３ｆは、左側壁部２３ａと右側壁部２３ｂと上側壁部２３ｃとの前後方向中間部分に形成されている。
【００３６】
図１３に示すように、上側壁部２３ｃの前端側部分と後端側部分は、フロアクロスメンバ７の前側フランジ部７ｄと後側フランジ部７ｅとにフロアパネル１を間に介して夫々重畳されている。それ故、凹入部２３ｆとフロアパネル１とがフロアフレーム２とトルネルサイドフレーム４とを繋いで左右に延びる閉断面を構成し、この閉断面は第３閉断面Ｃ３と上下方向に隣接している。これにより、フロアフレーム２とトルネルサイドフレーム４とを結ぶ閉断面の断面積を増加している。
【００３７】
次に、上記車両Ｖのバッテリ搭載構造の作用・効果について説明する。
この車両Ｖのバッテリ搭載構造によれば、フロアフレーム２とこれに対向するトルネルサイドフレーム４とに連結されて両者の間を補強する補強体２３を備えたため、側面衝突時、フロアフレーム２とこれに対向するトルネルサイドフレーム４との離隔距離を確保することができる。補強体２３がフロアクロスメンバ７の下側位置で且つバッテリ３の上側位置に配置されたため、側突荷重によってフロアクロスメンバ７が下側に折れ変形しても、バッテリ３の上側を補強体２３で保護することができ、バッテリ３が上方から受ける衝撃を低減することができる。
【００３８】
バッテリ３を下方から支持して車体側に取付けるための取付ブラケット２１を備え、取付ブラケット２１がトルネルサイドフレーム４の下側壁部４ｃ又はフロアパネル１に補強体２３を介して連結されたため、側突荷重を取付ブラケット２１を介して車体側に分散することができ、フロアクロスメンバ７による下側への折れ変形を抑制することができる。
【００３９】
補強体２３に車幅方向に延びる凹入部２３ｆを形成し、凹入部２３ｆが、フロアクロスメンバ７とフロアパネル１とが構成した第３閉断面Ｃ３に上下方向に重なるように配置されたため、フロアクロスメンバ７の上下方向剛性を増加することができ、フロアクロスメンバ７による下側への折れ変形を一層抑制することができる。
【００４０】
高剛性部が下方に凹入する凹入部２３ｆで構成され、凹入部２３ｆがフロアパネル１と協働して左右に延びる閉断面を構成するため、フロアフレーム２とこれに対向するトルネルサイドフレーム４とを結ぶ閉断面の断面積を増加することができ、フロアクロスメンバ７による下側への折れ変形を確実に抑制することができる。
【００４１】
次に、前記実施形態を部分的に変更した変形例について説明する。
１〕前記実施形態のバッテリは、充放電可能なバッテリであれば良く、通常の鉛バッテリ、電気自動車の駆動用バッテリ、ハイブリッド車両用バッテリ、回生発電によって充電する電源装置を備えた車両の補助バッテリ等何れのバッテリの搭載にも適用可能である。
【００４２】
２〕前記実施形態においては、膨出部がフロアパネルの右半部に形成された例を説明したが、フロアパネルの左半部に形成しても良く、トンネル部を挟んでフロアパネルの左右両側に膨出部を形成し、左右両方の膨出部の下方にバッテリを夫々搭載することも可能である。
【００４３】
３〕前記実施形態においては、後側程車幅方向外側に移行する左右１対のフロアフレームの例を説明したが、後側程車幅方向内側に移行する左右１対のフロアフレームであっても良く、間隔が一定にされた左右１対のフロアフレームでも良い。
【００４４】
４〕前記実施形態においては、膨出部が上下２つの折曲部を備えた例を説明したが、膨出部が単一或いは３つ以上の折曲部を備えても良い。３つ以上の折曲部を備えている場合、少なくとも１つの折曲部の一部がフロアフレーム又はトンネルサイドフレームの閉断面の一部に形成されることで、本発明の効果を奏することが可能である。
【００４５】
５〕前記実施形態においては、上側折曲部及び下側折曲部の左端側部分がトンネルサイドフレームの閉断面の一部に形成され且つ上側折曲部及び下側折曲部の右端側部分がフロアフレームの閉断面の一部に形成された例を説明したが、上側折曲部と下側折曲部のうち一方のみが閉断面の一部に形成されても良く、また、折曲部の左端側部分と右端側部分のうち一方のみが閉断面の一部に形成されても良い。
【００４６】
６〕その他、当業者であれば、本発明の趣旨を逸脱することなく、前記実施形態に種々の変更を付加した形態で実施可能であり、本発明はそのような変更形態も包含するものである。
【符号の説明】
【００４７】
Ｖ              車両
１              フロアパネル
２              フロアフレーム
３              バッテリ
４              トンネルサイドフレーム
４ｃ            下側壁部
１１            トンネル部
２１            取付ブラケット
２３            補強体
２３ｆ          凹入部
Ｃ１            第１閉断面
Ｃ２            第２閉断面
Ｃ３            第３閉断面
【図１】
0006284041.tif 000002
【図２】
0006284041.tif 000003
【図３】
0006284041.tif 000004
【図４】
0006284041.tif 000005
【図５】
0006284041.tif 000006
【図６】
0006284041.tif 000007
【図７】
0006284041.tif 000008
【図８】
0006284041.tif 000009
【図９】
0006284041.tif 000010
【図１０】
0006284041.tif 000011
【図１１】
0006284041.tif 000012
【図１２】
0006284041.tif 000013
【図１３】
0006284041.tif 000014
【図１４】
0006284041.tif 000015